(57)【特許請求の範囲】
【請求項１】
上部に開口端を有し、内部に被収容物を収容可能な箱状の収容部と、
前記開口端の後側開口縁にヒンジを介して回動可能に連結され、前記開口端に被せられて該開口端を開閉する蓋部と、
前記蓋部の前壁と側壁とを連結する蓋部側の前側縁部の下端に形成された被係止部と、
前記収容部の前壁と側壁とを連結する前側縁部の上端に設けられ、前記蓋部が閉じられる際に前記被係止部を係止する係止部と、
を備え、
前記係止部が形成されている前記収容部側の前側縁部はスクエア形状を有し、
前記被係止部が形成されている前記蓋部側の前側縁部は面取り形状又は円弧形状を有し、
前記係止部は、前記蓋部が閉じられる際に該係止部を外面側から内面側に乗り越えた前記被係止部を係止する、
ヒンジリッドパッケージ。
【請求項２】
上部に開口端を有し、内部に被収容物を収容可能な箱状の収容部と、
前記開口端の後側開口縁にヒンジを介して回動可能に連結され、前記開口端に被せられて該開口端を開閉する蓋部と、
前記収容部の外側に装着されるアウタ部材と、
前記蓋部の前壁と側壁とを連結する蓋部側の前側縁部の下端に形成された被係止部と、
前記アウタ部材の前壁と側壁とを連結する前側縁部の上端に設けられ、前記蓋部が閉じられる際に前記被係止部を係止する係止部と、
を備え、
前記係止部が形成されている前記アウタ部材側の前側縁部はスクエア形状を有し、
前記被係止部が形成されている前記蓋部側の前側縁部は面取り形状又は円弧形状を有し、
前記係止部は、前記蓋部が閉じられる際に該係止部を外面側から内面側に乗り越えた前記被係止部を係止する、
ヒンジリッドパッケージ。
【請求項３】
前記被係止部は、前記蓋部側の前側縁部の下端から下方に向けて突出した突出爪である
、請求項１又は２に記載のヒンジリッドパッケージ。
【発明の詳細な説明】
【技術分野】
【０００１】
本発明は、ヒンジリッドパッケージに関する。
【背景技術】
【０００２】
従来、たばこ商品等の被収容物を収容するパッケージとして、ソフトパック型パッケージやハード型パッケージ等が公知である。ハード型パッケージの１つの形態として、蓋部（リッド）を備えたヒンジリッドパッケージが知られている。この種のヒンジリッドパッケージは、通常、箱型の外形を有して被収容物を収容する収容部と、収容部の上部に形成される開口端を開閉するための蓋部が、開口端の縁部に沿って設けられたヒンジを介して回動自在に連結されている。【０００３】
ヒンジリッドパッケージは、ヒンジを介して収容部と蓋部とを回動自在に連結する機構を採用するため、蓋部が不用意に開放され易いという課題を有する。これに対して、蓋部の不用意な開放を防止する蓋部の係止機構（以下、「ロック機構」ともいう。）を備えたヒンジリッドパッケージも提案されている（例えば、特許文献１等を参照。）。【０００４】
このような蓋部のロック機構は、インナフレームに形成した切欠きや、インナフレームの一部を切り起こして形成した切り起こし片等からなる係止部と、蓋部を閉じた際に係止部に係止されるように蓋部の内面側に設けられた被係止片との組み合わせによって構成されることが多い。
【先行技術文献】
【特許文献】
【０００５】
【特許文献１】特許第３５５９１５３号公報
【発明の概要】
【発明が解決しようとする課題】
【０００６】
ところで、インナフレームは、通常、収納部の開口端から上方に向けて突出しているところ、この突出領域を製品やメーカーに関する広告・宣伝、その他の情報を表示する表示スペース（以下、「広告等表示スペース」という。）として利用する場合がある。しかしながら、従来の蓋係止機構のように、インナフレームの突出領域に係止部を形成すると、広告等表示スペースを十分に確保することができない虞がある。また、インナフレームは、パッケージの収容部を補強するための部材であるところ、切欠きや切り起こし片を形成することでインナフレームの強度や剛性が低下する虞がある。【０００７】
本発明は、このような課題に鑑みてなされてものであって、広告等表示スペースの不足やパッケージの強度および剛性の低下等といった不都合を生じさせることなく、蓋閉まり性の優れたヒンジリッドパッケージを提供することにある。
【課題を解決するための手段】
【０００８】
上記課題を解決するために、本発明に係るヒンジリッドパッケージは、蓋部の前壁と側壁とを連結する縁部側に被係止部を形成し、蓋部を閉める際に被係止部を係止可能な係止部を収容部側に設けるようにした。【０００９】
詳細には、本発明に係るヒンジリッドパッケージは、上部に開口端を有し、内部に被収容物を収容可能な箱状の収容部と、前記開口端の後側開口縁にヒンジを介して回動可能に連結され、前記開口端に被せられて該開口端を開閉する蓋部と、前記蓋部の前壁と側壁とを連結する蓋部側の前側縁部に形成された被係止部と、前記収容部側に設けられ、前記蓋部が閉じられる際に前記被係止部を係止する係止部と、を備える。【００１０】
上記構成によれば、蓋部を閉じる際、収容部側に形成された係止部に蓋部側に形成された被係止部が係止されることで、不用意にヒンジリッドパッケージが開放されることを抑制できる。そして、本発明においては、被係止部を蓋部の前側縁部に形成し、蓋部を閉じる際に被係止部と係合するような収容部側の部位に係止部を設けたので、製品やメーカーに関する広告・宣伝、その他の情報を表示する広告等表示スペースを十分に確保しつつ、蓋閉まり性の優れたヒンジリッドパッケージを提供することができる。また、本発明によれば、係止部となる切欠きや切り起こし片等をインナフレームに形成する必要がないため、パッケージの強度や剛性が低下することを抑制できる。なお、本発明における係止部は、収容部を形成する壁面に形成してもよいし、収容部に装着される装着部材の壁面に形成してもよい。後者の態様も、「係止部が収容部側に設けられる」という概念に含まれるものである。【００１１】
また、本発明に係るヒンジリッドパッケージにおいて、前記被係止部は、前記蓋部前側縁部の下端から下方に向けて突出した突出爪であってもよい。また、前記係止部は、前記収容部の前壁と側壁とを連結する収容部側の前側縁部の上端を斜めに切り落としてなる斜面係止縁であってもよい。この場合、前記蓋部側の前側縁部は、前記収容部側の前側縁部に比べてパッケージの横断面方向内部側に配置され、前記斜面係止縁は、前記蓋部が閉じられる際に該斜面係止縁を外面側から内面側に乗り越えた前記被係止部を係止するように構成されてもよい。また、前記被係止部が形成されている前記蓋部側の前側縁部は、面取り形状又は円弧形状を有し、前記係止部が形成されている前記収容部側の前側縁部は、スクエア形状を有するように構成されてもよい。【００１２】
また、本発明に係るヒンジリッドパッケージにおいて、前記係止部は、前記収容部の外側に装着されるアウタ部材の前壁と側壁とを連結するアウタ前側縁部の上端を斜めに切り落としてなる斜面係止縁であってもよい。この場合、前記蓋部側の前側縁部は、前記蓋部アウタ前側縁部に比べてパッケージの横断面方向内部側に配置され、前記斜面係止縁は、前記蓋部が閉じられる際に該斜面係止縁を外面側から内面側に乗り越えた前記被係止部を係止するように構成されてもよい。また、前記被係止部が形成されている前記蓋部側の前側縁部は、面取り形状又は円弧形状を有し、前記係止部が形成されている前記アウタ前側縁部は、スクエア形状を有してもよい。前記被係止部が形成されている前記蓋部側の前側縁部は、面取り形状又は円弧形状を有し、前記係止部が形成されている前記アウタ前側縁部は、スクエア形状を有するように構成されてもよい。【００１３】
また、本発明に係るヒンジリッドパッケージにおいて、前記被係合部は前記蓋部における双方の前側縁部に形成されていてもよい。また、前記係合部は前記収容部、或いはアウタ部材における双方の前側縁部に形成されてもよい。【００１４】
なお、本発明に係るヒンジリッドパッケージに収容する被収容物は特に限定されるものではないが、例えば、たばこ商品を被収容物として好適に例示できる。たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。また、本発明に係るハード型パッケージは、例えば菓子、ガム等を収容するパッケージであってもよい。【００１５】
また、本発明における課題を解決するための手段は、可能な限り組み合わせて採用することができる。
【発明の効果】
【００１６】
本発明によれば、広告等表示スペースの不足やパッケージの強度および剛性の低下等といった不都合を生じさせることなく、蓋閉まり性の優れたヒンジリッドパッケージを提供することができる。
【図面の簡単な説明】
【００１７】
【図１】第１実施形態に係るパッケージの斜視図である。
【図２】第１実施形態に係るパッケージの斜視図である。
【図３】第１実施形態に係る第１ブランクを示す図である。
【図４】第１実施形態に係る第２ブランクを示す図である。
【図５Ａ】第１実施形態に係るパッケージの開閉動作を説明する図である。
【図５Ｂ】第１実施形態に係るパッケージの開閉動作を説明する図である。
【図５Ｃ】第１実施形態に係るパッケージの開閉動作を説明する図である。
【図６】第２実施形態に係るパッケージの斜視図である。
【図７】第２実施形態に係るパッケージの斜視図である。
【図８】第２実施形態に係るパッケージの斜視図である。
【図９】第２実施形態に係るパッケージの斜視図である。
【図１０】第２実施形態に係るパッケージの側面図である。
【図１１】第２実施形態に係る第３ブランクを示す図である。
【図１２】第２実施形態に係る第４ブランクを示す図である。
【発明を実施するための形態】
【００１８】
ここで、次に、本発明に係るヒンジリッドパッケージの実施形態について、図面に基づいて説明する。本発明が適用されるパッケージに収容する被収容物は特定のものに限定されないが、ここでは、シガレットをパッケージに収容する場合を例に説明する。
【００１９】
＜＜第１実施形態＞＞
＜パッケージの構成＞
図１、２は、第１実施形態に係るヒンジリッドパッケージ（以下、単に「パッケージ」という。）１の斜視図である。図１、２は、パッケージ１を正面前方斜めから眺めた斜視図である。パッケージ１は、全体で略直方体形状をなしたヒンジリッド付きボックス型パッケージである。パッケージ１は、収容部としてのアウタボックス２と、アウタボックス２にヒンジ５を介して回動自在に連結される蓋部としてのリッド３と、アウタボックス２に取り付けられるインナフレーム４とを備える。以下、本明細書では、特に言及する場合を除いて、パッケージ１の正面側を“前方”と定義し、背面側を“後方”と定義する。また、パッケージ１のリッド側を“上方”と定義し、反対側（パッケージの底側）を“下方”と定義する。パッケージ１に用いられる材料は、例えばカード紙やマニラボール紙等の紙材が好適に用いられるが、これに限定されるものではない。例えば、パッケージ１の材料として、プラスチック等の樹脂材料は勿論のことその他の材料も適宜用いることができる。パッケージ１の材質に紙材を使用する場合は、坪量として例えば１００ｇ／ｍ2以上、４００ｇ／ｍ2以下の紙材を使用してもよい。
【００２０】
アウタボックス２は、直方体形状の上端側が斜めに切り欠かれた形状を有する箱体である。アウタボックス２は、前壁２１、後壁２２、一対の側壁２３、底壁２４を有する。前壁２１は略矩形状、後壁２２は矩形状をなしており、互いに対向配置されている。詳しくは、前壁２１は、矩形の上角部が斜めに切り落とされてなる六角形状を有する。また、後壁２２は、前壁２１よりも高さ寸法が長尺となっている。側壁２３は、前壁２１および後壁２２の両側縁を相互に連結している。底壁２４は、前壁２１、後壁２２および側壁２３の下端に連結されており、矩形状を有する。側壁２３の上端縁２３ａは前壁２１の上端と後壁２２の上端とを連結している。アウタボックス２は、上部に斜めの開口端２５を有している。
【００２１】
アウタボックス２は、スクエア（直角）形状を有する前側縁部２６を有する。前側縁部２６は、前壁２１と各側壁２３との境界部をなしており、前壁２１および側壁２３とを連結する縁部である。前側縁部２６は、いわゆるスクエアエッジであり、本発明に係る収容部側の前側縁部に相当する。また、各前側縁部２６の上端には、当該上端部分を斜めに切り落としてなる斜面係止縁２７が形成されている。本実施形態においては、斜面係止縁２７が本発明に係る係止部に相当する。
【００２２】
また、アウタボックス２の後側開口縁、即ち後壁２２の上端にはヒンジ５が設けられている。ヒンジ５は、アウタボックス２の後壁２２に沿って延び、この後壁２２に対してリッド３を回動自在に連結している。なお、アウタボックス２の外面には美観、触感などの向上のために、エンボス加工、パイル（短繊維）を用いたフロッキー加工、ニス（ワニス）を厚く塗布することによる疑似エンボス様の加工を、適宜施してもよい。
【００２３】
リッド３は、前壁３１、後壁３２、一対の側壁３３、天壁３４を有する、箱状の蓋部材である。本実施形態においては、リッド３が本発明に係る蓋部に相当する。リッド３は、その前壁３１および天壁３４が略矩形状を有し、後壁３２が矩形状を有している。リッド３の後壁３２は、ヒンジ５を介してアウタボックス２の後壁２２に連結されており、前壁３１と対向配置されている。また、天壁３４は、後壁３２に直交するように連結されている。また、一対の側壁３３は、後壁３２、天壁３４および前壁３１を連結し、略台形状を有している。以上のように構成されるリッド３は、ヒンジ５を中心に、アウタボックス２に対して相対回動が可能であり、アウタボックス２の開口端２５に被せられて、開口端２５を開閉する。なお、リッド３が閉じた際、リッド３の側壁３３の下端縁は、アウタボックス２における側壁２３の上端縁と互いに合致するようになっている。
【００２４】
リッド３は、面取り形状を有する前側縁部３６を有する。前側縁部３６は、前壁３１と各側壁３３との境界部をなしており、前壁３１および側壁３３を連結する縁部である。前側縁部３６はいわゆる面取りエッジであり、本発明に係る蓋部の前側縁部に相当する。また、各前側縁部３６の下端には、下方に向けて突出した突出爪３７が形成されている。本実施形態においては、突出爪３７が本発明に係る被係止部に相当する。
【００２５】
インナフレーム４は、略Ｕ字形状をなした前面フレーム４１と、この前面フレーム４１の両側縁に連結された一組の側面フレーム４２とを有する。また、インナフレーム４は、前面フレーム４１と側面フレーム４２とを連結する縁部４３が、いわゆる面取り形状となっている。インナフレーム４における縁部（以下、「前側縁部」という。）４３の幅（面取り幅）と、リッド３における前側縁部３６の幅（面取り幅）とは略等しく、リッド３を閉じた際に、リッド３とインナフレーム４とが干渉しないようになっている。また、インナフレーム４は、アウタボックス２の上部の開口端２５から部分的に上方へ突出した状態で、アウタボックス２の内面に接着されている。本実施形態では、前面フレーム４１とアウタボックス２の前壁２１とが重なり合うラップ領域において、当該前壁２１に対して前面フレーム４１が接着されているが、インナフレーム４をアウタボックス２に固定する方式、態様はこれに限られない。
【００２６】
インナフレーム４は、アウタボックス２の開口端２５を補強するとともに、リッド３の開閉を案内するガイド部材としても機能する。前面フレーム４１は、図２からも明らかなように、略矩形状の切欠き凹部４１ａを有する。切欠き凹部４１ａは、インナフレーム４の前面を大きく開き、シガレットの取り出しを容易にしている。
【００２７】
＜ブランク＞
本実施形態において、パッケージ１は、アウタボックス２およびリッド３を成形する第１ブランクＢ１と、インナフレーム４を成形する第２ブランクＢ２の各所を折り込み、接合することで成形される。図３は、第１ブランクＢ１を示し、図４は、第２ブランクＢ２を示す。第１ブランクＢ１、第２ブランクＢ２にはカード紙、マニラボール紙等の紙材、又はプラスチックシートなどの樹脂を用いることができるが、これらに限定されるものではない。また、ブランクの説明では、図の上下方向を基準に説明する。
【００２８】
図３に示すように、第１ブランクＢ１は、アウタボックス２となるアウタボックス区域Ｒ１、リッド３となるリッド区域Ｒ２を有している。アウタボックス区域Ｒ１は、アウタボックス２の前壁２１となる前壁パネルＰ１を有しており、前壁パネルＰ１の両側縁には、アウタボックス２の側壁２３となる側壁パネルＰ２,Ｐ２が連なっている。
【００２９】
また、前壁パネルＰ１の上縁（図４における上縁）には、アウタボックス２の底壁２４となる底壁パネルＰ３が連なっている。底壁パネルＰ３には、前壁パネルＰ１とは反対側に位置してアウタボックス２の後壁２２となる後壁パネルＰ４が連なっている。この後壁パネルＰ４の両側縁には、側壁パネルＰ２に対するインナサイドパネルＰ５,Ｐ５が連なっている。更に、各インナサイドパネルＰ５の下縁には、インナボトムフラップＰ６が連なっており、これらインナボトムフラップＰ６は底壁パネルＰ３に重ね合わされ、アウタボックス２の底壁２４の補強をなす。
【００３０】
リッド区域Ｒ２は、リッド３の後壁３１となる後壁パネルＰ７を有しており、後壁パネルＰ７の下縁は、折り込み線およびスリットＳ１を介してアウタボックス区域Ｒ１の後壁パネルＰ４と連結されている。また、リッド区域Ｒ２の後壁パネルＰ７の上縁には、リッド３の天壁３４となる天壁パネルＰ８が連なっている。また、後壁パネルＰ７の両側縁には、リッド３の側壁３３の一部となるインナサイドフラップＰ９が夫々連なっている。そして、各インナサイドフラップＰ９の上縁には、インナトップフラップＰ１０が連なっており、これらインナトップフラップＰ１０は天壁パネルＰ８に重ね合わされ、天壁３４の補強をなす。
【００３１】
更に、天壁パネルＰ８の上縁には、後壁パネルＰ７とは反対側に位置してリッド３の前壁３１となる前壁パネルＰ１１が連なっている。前壁パネルＰ１１の上縁には、インナフロントフラップＰ１２が更に連なっている。インナフロントフラップＰ１２が内側に折り返され、前壁パネルＰ１１に重ね合されることで、リッド３の前壁３１の補強をなす。また、前壁パネルＰ１１の両側縁には、リッド３の前側縁部３６となる縁部パネルＰ１３を介して、リッド３の側壁３３となる側壁パネルＰ１４が夫々連なっている。上述したインナサイドフラップＰ９は、側壁パネルＰ１４に重ね合わされ、接着されることで、側壁３４の補強をなす。また、縁部パネルＰ１３および側壁パネルＰ１４に跨るようにして、これらの上端側には突出部が形成されており、この突出部によってリッド３の突出爪３７が形成される。
【００３２】
図４に示すように、第２ブランクＢ２は、インナフレーム４の前面フレーム４１となる前面パネルＰ１５を有し、前面パネルＰ１５の両側縁には、インナフレーム４の前側縁部４３となる縁部パネルＰ１６を介して、側面フレーム４２となる側面パネルＰ１７が連なっている。
【００３３】
上述した第１ブランクＢ１、および第２ブランクＢ２は、図３、図４中破線で示した折り込み線で夫々折り込まれる。その結果、図１および図２に示すようなアウタボックス２、リッド３、およびインナフレーム４を含むパッケージ１が成形される。詳しくは、第１ブランクＢ１のアウタボックス区域Ｒ１においては、各折り込み線で折り込まれ、インナボトムフラップＰ６が底壁パネルＰ３に重ね合わされて、インナサイドフラップＰ５が側壁パネルＰ２に重ね合されて接着されることで、アウタボックス２が成形される。そして、アウタボックス区域Ｒ１の前壁パネルＰ１に対して、第２ブランクＢ２の前面パネルＰ１５が接着されることで、アウタボックス２とインナフレーム４とが一体になる。
【００３４】
一方、第１ブランクＢ１のリッド区域Ｒ２においては、各折り込み線で折り込まれ、インナトップフラップＰ１０が天壁パネルＰ８に重ね合わされて、インナサイドフラップＰ９が側壁パネルＰ１４に重ね合わされて接着されることで、リッド３が成形される。なお、本実施形態において、リッド区域Ｒ２のインナフロントフラップＰ１２は、前壁パネルＰ１１に対して接着されていないが、接着するようにしてもよい。
【００３５】
図５Ａ〜図５Ｃを参照して、パッケージ１の開閉動作およびパッケージ１が備えるロック機構について説明する。図５Ａ〜Ｃにおいて、図１および２と共通の符号は、同一の部材を意味している。図５Ａは、パッケージ１のリッド３が開放された状態を示している。この状態において、使用者は、アウタボックス２の内部に収容している収容物であるシガレットに対してアクセスし、シガレットを自由に取り出すことができる。図５Ｃは、パッケージ１におけるリッド３が完全に閉じられた状態、すなわちパッケージ１が閉鎖された状態を示している。図５Ｂは、リッド３が殆ど閉じられた状態を示している。
【００３６】
パッケージ１のロック機構は、パッケージ１（リッド３）の蓋閉まりを向上させるために、閉じられたリッド３が使用者の意に反して不用意に開放されることを抑制するための機構である。本実施形態において、パッケージ１のロック機構は、アウタボックス２側に設けられる斜面係止縁２７と、この斜面係止縁２７と係合する、リッド３側に設けられる突出爪３７との組み合わせによって構成されている。なお、上記のように、突出爪３７は、リッド３における前壁３１および側壁３３を連結する前側縁部３６の下端から、リッド３の下方に向けて突出形成されている。また、斜面係止縁２７は、アウタボックス２の前壁２１と側壁２２とが連結される前側縁部２６の上端を斜めに切り落とすことで形成されており、リッド３を閉じる際に、リッド３側に設けられた突出爪３７を受け入れることが可能に構成されている。
【００３７】
また、図１、２、５Ａ〜Ｃに示すように、突出爪３７は、リッド３における双方の前側縁部３６、すなわち一組の前側縁部３６の各々に形成されている。また、斜面係止縁２７は、アウタボックス２における双方の前側縁部２６、すなわち一組の前側縁部２６の各々に形成されている。パッケージ１のロック機構は、パッケージ１の左右のうち、互いに係合するように形成された突出爪３７と斜面係止縁２７との組み合わせによって構成されている。したがって、本実施形態に係るパッケージ１は、パッケージ１の左前側と、右前側に計２組のロック機構を備えていることになる。
【００３８】
次に、パッケージ１の開閉時における動作説明を図面に基づいて行う。まず、パッケージ１のリッド３を閉じる際には、パッケージ１は、図５Ａから図５Ｂに示す状態を経て、図５Ｃに示す状態に順次移行する。図５Ｂは、パッケージ１のロック機構が作動する直前、すなわち、対応する突出爪３７と斜面係止縁２７とが係合する直前の状態を示している。
【００３９】
上記のように、パッケージ１において、アウタボックス２の前壁２１と各側壁２３とを連結する前側縁部２６はスクエア形状を有するスクエアエッジであり、リッド３の前壁３１と側壁３３とを連結する前側縁部３６は面取り形状を有する面取りエッジとなっている。その結果、リッド３が閉じられた状態において、リッド３側の前側縁部３６が、アウタボックス２の前側縁部２６に比べて、パッケージ１の横断面方向における内部側に配置される。言い換えると、パッケージ１は、リッド３が閉じられた状態において、リッド３の前側縁部３６がアウタボックス２の前側縁部２６よりも、パッケージ１の横断面方向内部側に配置されるように、前側縁部２６と前側縁部３６との相対関係が規定されている。
【００４０】
上記のように、パッケージ１は、その横断面方向において、リッド３側の前側縁部３６がアウタボックス２の前側縁部２６よりも内側に配置されているため、パッケージ１の背面側に形成されたヒンジ５を中心としてアウタボックス２とリッド３とを相対回動させ、リッド３を閉じる操作が行われると、リッド３の下端から突出する突出爪３７の先端側がアウタボックス２に設けられた斜面係止縁２７と係合することになる。具体的には、突出爪３７が、斜面係止縁２７の外面側に衝突する。そして、この状態から、更に、リッド３が閉じ方向に回動操作されると、突出爪３７が、斜面係止縁２７の外面側から内面側に斜面係止縁２７を乗り越える。これにより、図５Ｃに示すように、リッド３の突出爪３７がアウタボックス２の斜面係止縁２７に係止されるとともに、リッド３が閉鎖された状態となる。
【００４１】
このように、リッド３を閉じる際に、リッド３の突出爪３７がアウタボックス２の斜面係止縁２７に係止されることで、リッド３の突出爪３７が斜面係止縁２７を、その内面側から外面側に再び乗り越えない限り、リッド３の開方向への回動動作が規制される。これにより、使用者の意図しない不用意なリッド３の開放動作を防ぐことができ、パッケージ１の蓋閉まり性を向上することができる。つまり、蓋閉まり性の優れたパッケージ１を提供することができる。
【００４２】
なお、図５Ｃに示す状態から、使用者の意志によってパッケージ１を開放させるべくリッド３の開方向に力が加えられた場合、リッド３の突出爪３７が、斜面係止縁２７を内面側から外面側に乗り越えることで、斜面係止縁２７によるリッド３の係止が解除される。これによって、リッド３は、開方向へと自由に回動することができるようになり、使用者は、リッド３を開放することができる。
【００４３】
以上のように、本実施形態に係るパッケージ１によれば、優れた蓋閉まり性を備えると共に、そのロック機構をリッド３およびアウタボックス２におけるそれぞれの前側縁部に設けた突出爪３７と斜面係止縁２７との組み合わせによって構成するようにした。これによれば、アウタボックス２側においては前壁２１や側壁２３のうちの製品やメーカーに関する広告・宣伝、その他の情報を表示する広告等表示スペースとして利用価値の高い中央寄りの部位やインナフレーム４の突出領域、リッド３側においては前壁３１や側壁３３のうちの中央寄りの部位に、係止部を設けることがないため、パッケージ１の広告等表示スペースを十分に確保することができる。
【００４４】
また、リッド３の前側縁部３６に設けた突出爪３７と、アウタボックス２の前側縁部２６に設けた斜面係止縁２７との組み合わせによって構成するロック機構のように、従来には無い新規かつ斬新なロック方式を採用することにより、消費者の購買意欲を喚起することができる。その結果、パッケージ１、或いは被収容物を収容した製品の商品価値を一層高めることができる。また、パッケージ１が採用するロック機構によれば、従来のように係止部となる切欠きや切り起こし片等をインナフレームに形成する必要がないため、パッケージ１の強度や剛性が低下することも回避できる。
【００４５】
以上のように、本実施形態に係るパッケージ１によれば、広告等表示スペースの不足やパッケージの強度および剛性の低下等といった不都合を生じさせることなく、蓋閉まり性の優れたヒンジリッドパッケージを提供することが可能である。
【００４６】
以上、本発明の好適な実施形態を説明したが、上記実施形態には本発明の趣旨を逸脱しない範囲において適宜の変更を加えることができる。例えば、パッケージ１の変形例として、ロック機構の構成を変更してもよい。すなわち、リッド３およびアウタボックス２におけるそれぞれの前側縁部に設けた係止部と被係止部との組み合わせによって構成するようにすれば、ロック機構として他の態様を採用してもよく、上述した突出爪および斜面係止縁の組み合わせに限られない。また、必ずしも、リッド３側の被係止部を前側縁部３６の下端、アウタボックス２側の係止部を前側縁部２６の上端に設ける必要はなく、本発明の趣旨を逸脱しない限り、その配置位置を変更してもよい。
【００４７】
また、本実施形態では、リッド３が閉じられた状態において、リッド３の前側縁部３６がアウタボックス２の前側縁部２６よりもパッケージ１の内部側に配置されるように、前側縁部２６をスクエアエッジとし、前側縁部３６を面取りエッジとしたが、各前側縁部２６，３６の形状は、他の形状を採用してもよい。例えば、アウタボックス２側の前側縁部２６をスクエアエッジとし、リッド３側の前側縁部３６を、円弧形状のラウンドエッジとしてもよい。また、リッド３の前側縁部３６がアウタボックス２の前側縁部２６よりもパッケージ１の内部側に配置されていれば、アウタボックス２側の前側縁部２６とリッド３側の前側縁部３６の形状の組み合わせは、上記例示に限られず、種々の形状を採用することができる。
【００４８】
＜＜第２実施形態＞＞
＜パッケージの構成＞
次に、第２実施形態に係るパッケージ１００について説明する。パッケージ１００は、第１実施形態に係るパッケージ１と同様にヒンジリッドパッケージである。図６〜９は、第２実施形態に係るパッケージ１００の斜視図である。図１０は、第２実施形態に係るパッケージ１００の側面図である。図６および図７は、閉じた状態のパッケージ１００を表し、図８〜図１０は開放された状態のパッケージ１００を表している。なお、パッケージ１００における上下前後左右の各方向は、図６、図７に示す通りである。
【００４９】
パッケージ１００は、収容部としてのアウタボックス６、アウタボックス６に第１ヒンジ５１を介して回動自在に連結される蓋部としてのリッド７、アウタトレイ８等を有する。
【００５０】
アウタボックス６は、直方体形状の上端側が開口端となった箱体である。アウタボックス６は、前壁６１、後壁６２、一対の側壁６３、底壁６４を有する。前壁６１および後壁６２は互いに対向配置されており、これらの両側縁が一対の側壁６３によって相互に連結されている。底壁６４は、前壁６１、後壁６２および側壁６３の下端に連結されている。以上のように構成されたアウタボックス６は、上部に斜めの開口端６５を有している。アウタボックス６の前壁６１および側壁６３の境界位置に形成された縁部と、後壁６２および側壁６３の境界位置に形成された縁部とは面取り形状を有しており、いわゆる面取りエッジを形成している。
【００５１】
また、アウタボックス６の後側開口縁、即ち後壁６２の上端には第１ヒンジ５１が設けられている。第１ヒンジ５１は、アウタボックス６の後壁６２に沿って延び、この後壁６２に対してリッド７を回動自在に連結している。リッド７は、前壁７１、後壁７２、一対の側壁７３、天壁７４を有する蓋部材である。本実施形態においては、リッド７が本発明に係る蓋部に相当する。リッド７の後壁７２は前壁７１と対向配置されている。また、天壁７４は、前壁７１および後壁７２に直交するように連結されている。また、一対の側壁７３は、後壁７２、天壁７４および前壁７１を連結している。以上のように構成されるリッド７は、第１ヒンジ５１を中心に、アウタボックス６に対して相対回動が可能であり、アウタボックス６の開口端６５に被せられて、開口端６５を開閉する。
【００５２】
リッド７は、面取り形状を有する前側縁部７６を有する。前側縁部７６は、前壁７１と各側壁７３との境界部をなしており、前壁７１および側壁７３を連結する縁部である。前側縁部７６はいわゆる面取りエッジであり、本発明に係る蓋部の前側縁部に相当する。また、各前側縁部７６の下端には、下方に向けて突出した突出爪７７が形成されている。本実施形態においては、突出爪７７が本発明に係る被係止部に相当する。
【００５３】
アウタトレイ８は、アウタボックス６の後壁６２（背面）側に設けられたカバー部材（外装部材）である。アウタトレイ８は、リッド７が閉じられた状態にあるときに、アウタボックス６の後壁６２とリッド７の後壁７２の双方を覆うように、これらの各後壁面６２，７２に沿った姿勢に保持される。一方、リッド３の開放動作に伴い、アウタボックス６を起き上げる（起立させる）役割を果たす部材である。本実施形態においては、アウタトレイ８が本発明に係るアウタ部材に相当する。
【００５４】
アウタトレイ８は、第１トレイ部９および第２トレイ部１０を有する。第１トレイ部９はアウタボックス６に接合（接着）され、第２トレイ部１０はリッド７に接合（接着）されている。また、第１トレイ部９および第２トレイ部１０の境界位置には第２ヒンジ５２が形成されており、この第２ヒンジ５２を境に第１トレイ部９および第２トレイ部１０が互いに相対回動可能となっている。
【００５５】
アウタトレイ８の第１トレイ部９は、前壁９１、後壁９２、一対の側壁９３、底壁９４を有する。前壁９１および後壁９２は互いに対向配置されており、これらの両側縁が一対の側壁９３によって相互に連結されている。底壁９４は、前壁９１、後壁９２、および側壁９３の下端に連結されている。第１トレイ部９の底壁９４は、アウタボックス６の底壁６４と略同一の形状および大きさを有しており、リッド７が閉じられた状態では、アウタボックス６における底壁６４と第１トレイ部９における後壁９２が重なり合うようになっている。
【００５６】
第１トレイ部９の後壁９２は略矩形状を有しており、その高さ寸法は、アウタボックス６における後壁６２の高さ寸法とリッド７における後壁７２の高さ寸法の和に略等しい。また、後壁９２の幅寸法は、アウタボックス６における後壁６２の幅寸法よりも僅かに大きい。更に、後壁９２における略下側半分の領域には、開口部９５が形成されている。この開口部９５は、後壁９２の全幅に亘って形成されている。従って、開口部９５の開口幅は、アウタボックス６における後壁６２の幅寸法よりも略等しいか僅かに大きくなっている。なお、第１トレイ部９における後壁９２および側壁９３の境界位置に形成された縁部は面取り形状を有しており、いわゆる面取りエッジとなっている。
【００５７】
第１トレイ部９の前壁９１は略矩形状を有しており、その高さ寸法は、パッケージ１００の高さ寸法からリッド７における前壁７１の高さ寸法を差し引いた寸法と略等しくなっている。つまり、第１トレイ部９における前壁９１の高さ寸法と、リッド７における前壁７１の高さ寸法との和は、パッケージ１００の高さ寸法に略等しい。また、第１トレイ部９における前壁９１の幅寸法は、リッド７における前壁７１の幅寸法と略等しく、アウタボックス６における前壁６１の幅寸法よりも僅かに大きい。更に、第１トレイ部９の前壁９１は、第３ヒンジ５３を介して、アウタボックス６の前壁６１に対して相対回動自在に接合されている。この第３ヒンジ５３は、第１トレイ部９における前壁９１の上端縁に沿って伸びるようにして形成されている。
【００５８】
第１トレイ部９における前壁９１と各側壁９３との境界位置に形成されたそれぞれの前側縁部９６はスクエア形状を有している。前側縁部９６は、いわゆるスクエアエッジであり、本発明に係るアウタ前側縁部に相当する。更に、第１トレイ部９における各前側縁部９６の上端には、当該上端部分を斜めに切り落としてなる斜面係止縁９７が形成されている。本実施形態においては、斜面係止縁９７が本発明に係る係止部に相当する。
【００５９】
また、アウタトレイ８の第２トレイ部１０は、略矩形状を有している。第２トレイ部１０は、リッド７の天壁７４と略同一の大きさを有し、リッド７が閉じられた状態では、リッド７の天壁７４の上にアウタトレイ８の第２トレイ部１０が重なり合うようになっている。また、第２トレイ部１０は、リッド７における天壁７４の前方縁部、すなわち天壁７４と前壁７１との境界をなす縁部に形成された第４ヒンジ５４に対して相対回動自在に接合されている。なお、第１〜第４ヒンジ５１，５２，５３，５４は互いに平行であり、パッケージ１００の幅方向に沿って形成されている。
【００６０】
＜ブランク＞
本実施形態において、パッケージ１００は、アウタボックス６およびリッド７の一部を成形する第３ブランクＢ３と、アウタトレイ８およびリッド７の残部を成形する第４ブランクＢ４の各所を折り込み、接合することで成形される。図１１は、第３ブランクＢ３を示し、図１２は、第４ブランクＢ４を示す。第３ブランクＢ３、第４ブランクＢ４にはカード紙、マニラボール紙等の紙材、又はプラスチックシートなどの樹脂を用いることができるが、これらに限定されるものではない。また、ブランクの説明では、図の上下方向を基準に説明する。
【００６１】
図１１に示すように、第３ブランクＢ３は、アウタボックス６となるアウタボックス区域Ｒ３、リッド７の一部となる第１リッド区域Ｒ４を有している。アウタボックス区域Ｒ３は、アウタボックス６の前壁６１となる前壁パネルＰ２１を有しており、前壁パネルＰ２１の両側縁には、アウタボックス６の側壁６３となる側壁パネルＰ２２,Ｐ２２が連なっている。
【００６２】
また、前壁パネルＰ２１の上縁（図１１における上縁）には、アウタボックス６の底壁６４となる底壁パネルＰ２３が連なっている。底壁パネルＰ２３には、前壁パネルＰ２１とは反対側に位置してアウタボックス６の後壁６２となる後壁パネルＰ２４が連なっている。この後壁パネルＰ２４の両側縁には、側壁パネルＰ２２に対するインナサイドパネルＰ２５,Ｐ２５が連なっている。更に、各インナサイドパネルＰ２５の下縁には、インナボトムフラップＰ２６が連なっており、これらインナボトムフラップＰ２６は底壁パネルＰ２３に重ね合わされ、アウタボックス６の底壁６４の補強をなす。
【００６３】
第１リッド区域Ｒ４は、リッド７の後壁７１となる後壁パネルＰ２７を有しており、後壁パネルＰ２７の下縁は、折り込み線およびスリットＳ２を介して、アウタボックス区域Ｒ３の後壁パネルＰ２４と連結されている。また、第１リッド区域Ｒ４の後壁パネルＰ２７の上縁には、リッド７の天壁７４となる天壁パネルＰ２８が連なっている。また、後壁パネルＰ２７の両側縁には、リッド７の側壁７３の一部となるインナサイドフラップＰ２９が夫々連なっている。そして、各インナサイドフラップＰ２９の上縁には、インナトップフラップＰ３０が連なっており、これらインナトップフラップＰ３０は天壁パネルＰ２８に重ね合わされ、リッド７における天壁７４の補強をなす。
【００６４】
図１２に示すように、第４ブランクＢ４は、リッド７の残部となる第２リッド区域Ｒ５、アウタトレイ８となるアウタトレイ区域Ｒ６を有している。第２リッド区域Ｒ５には、リッド３の前壁７１となる前壁パネルＰ３１を有し、前壁パネルＰ３１の上縁には、前壁パネルＰ３１の補強をなすインナフロントフラップＰ３２が連なっている。また、前壁パネルＰ３１の両側縁には、リッド７の側壁７３となる側壁パネルＰ３３が夫々連なっている。また、前壁パネルＰ３１およびこれに連なる側壁パネルＰ３３との境界部には上方に突出する突出部が形成されており、この突出部によってリッド７の突出爪７７が形成される。
【００６５】
アウタトレイ区域Ｒ６においては、アウタトレイ８の第２トレイ部１０となるトップパネルＰ３４が、第２リッド区域Ｒ５における前壁パネルＰ３１に連なっている。また、トップパネルＰ３４の下縁には、第１トレイ部９における後壁９２となる後壁パネルＰ３５が連なっている。また、後壁パネルＰ３５の両側縁には、第１トレイ部９における側壁９３となる側壁パネルＰ３６が夫々連なっている。また、一方の側壁パネルＰ３６における下縁には、第１トレイ部９における底壁９４となる底壁パネルＰ３７が連なっている。更に、この底壁パネルＰ３７の下縁には、他方の側壁パネルＰ３６に重ねられることで第１トレイ部９の側壁９３の補強をなす第１補強サイドパネルＰ３８が連なっている。
【００６６】
また、底壁パネルＰ３７の右縁には、第１トレイ部９における前壁９１となる前壁パネルＰ３９が連なっている。そして、この前壁パネルＰ３９の上縁には、一方の側壁パネルＰ３６に重ねられることで第１トレイ部９の側壁９３の補強をなす第２補強サイドパネルＰ４０が連なっている。また、前壁パネルＰ３９の下縁には、他方の側壁パネルＰ３６に重ねられることで第１トレイ部９の側壁９３の補強をなす第３補強サイドパネルＰ４１が連なっている。また、前壁パネルＰ３９の右縁には、第３ブランクＢ３におけるアウタボックス区域Ｒ３の前壁パネルＰ２１と接着される接合パネルＰ４２が連なっている。
【００６７】
上述した第３ブランクＢ３、および第４ブランクＢ４は、図１１、図１２中破線で示した折り込み線で夫々折り込まれる。その結果、図６〜図１０に示すようなアウタボックス６、リッド７、およびアウタトレイ８を備えたパッケージ１００が成形される。
【００６８】
詳しくは、インナボトムフラップＰ２６が底壁パネルＰ２３に重ね合わされて、インナサイドフラップＰ２５が側壁パネルＰ２２に重ね合されて接着されることで、アウタボックス６が成形される。なお、前壁パネルＰ２１と側壁パネルＰ２２との境界位置にある二重の折り込み線によって、アウタボックス６の前壁６１および側壁６３を連結する面取りエッジが形成される。また、後壁パネルＰ２４とインナサイドパネルＰ２５との境界位置にある二重の折り込み線によって、アウタボックス６の後壁６２および側壁６３を連結する面取りエッジが形成される。
【００６９】
また、インナトップフラップＰ３０が天壁パネルＰ２８に重ね合わされて、インナサイドフラップＰ２９が側壁パネルＰ３３に重ね合わされて接着されることで、リッド７が成形される。なお、インナフロントフラップＰ３２は前壁パネルＰ３１に対して折り返された後、当該前壁パネルＰ３１に接着してもよいし、接着しなくてもよい。また、前壁パネルＰ３１と側壁パネルＰ３３との境界位置にある二重の折り込み線によって、リッド７の前壁７１および側壁７３を連結する面取りエッジが形成される。
【００７０】
また、第４ブランクＢ４のアウタトレイ区域Ｒ６においては、第２補強サイドパネルＰ４０を一方の側壁パネルＰ３６に接着し、第１補強サイドパネルＰ３８および第３補強サイドパネルＰ４１を他方の側壁パネルＰ３６に接着する。そして、接合パネルＰ４２を第３ブランクＢ３の前壁パネルＰ２１と接着することで、アウタトレイ８が成形される。なお、アウタトレイ区域Ｒ６における後壁パネルＰ３５と側壁パネルＰ３６との境界位置にある二重の折り込み線によって、第１トレイ部９における後壁９２および側壁９３を連結する面取りエッジが形成される。
【００７１】
また、アウタボックス区域Ｒ３の後壁パネルＰ２４と、第１リッド区域Ｒ４の後壁パネルＰ２７との境界をなす折り込み線およびスリットＳ２によって、パッケージ１００の第１ヒンジ５１が形成されている。また、アウタトレイ区域Ｒ６の後壁パネルＰ３５とトップパネルＰ３４との境界をなす折り込み線によって、パッケージ１００の第２ヒンジ５２が形成されている。また、アウタトレイ区域Ｒ６の接合パネルＰ４２と前壁パネルＰ３９との境界をなす折り込み線によって、パッケージ１００の第３ヒンジ５３が形成されている。また、第２リッド区域Ｒ５における前壁パネルＰ３１とアウタトレイ区域Ｒ６のトップパネルＰ３４との境界をなす折り込み線によって、パッケージ１００の第４ヒンジ５４が形成されている。
【００７２】
次に、図６〜図１０を参照して、パッケージ１００の開閉動作およびパッケージ１が備えるロック機構について説明する。パッケージ１００は、アウタトレイ８の第１トレイ部９は、底壁９４の奥行寸法がアウタボックス６における底壁６４の奥行寸法に等しく、後壁９２の高さ寸法がアウタボックス６の後壁６２の高さ寸法およびリッド７の後壁７２の高さ寸法の和に等しい。また、第２トレイ部１０の奥行寸法は、リッド７における天壁７４の奥行寸法と等しい。そのため、図６、図７に示すように、リッド７が閉じられた状態では、アウタトレイ８の第１トレイ部９を、アウタボックス６と干渉することなく、アウタボックス６の外面に沿わせて配置できる。また、アウタトレイ８の第２トレイ部１０を、リッド７の天壁７４に沿わせて配置できる。これにより、パッケージ１００のリッド７が閉じられた際に、パッケージ１００全体が嵩張ることを抑制できる。
【００７３】
例えば、便宜上、パッケージ１００がテーブル等の水平面に載置されているとする。パッケージ１００内に収容されているシガレットを取り出す場合、扱い者は、例えば、アウタトレイ８の第１トレイ部９における双方の側壁９３を片方の手で把持し、リッド７を他方の手で摘む等してリッド７の開放操作を行う。つまり、第１ヒンジ５１を中心にアウタボックス６に対してリッド７を回動させる。
【００７４】
パッケージ１００のアウタボックス６には、第３ヒンジ５３を介して第１トレイ部９が回動自在に接合されている。また、リッド７には第４ヒンジ５４を介して第２トレイ部１０が回動自在に接合されている。更に、第１トレイ部９および第２トレイ部１０は、第２ヒンジ５２を介して回動自在に連結されている。従って、リッド７の開放動作が行われると、それに連動して、第１トレイ部９および第２トレイ部１０が第２ヒンジ５２を中心に回動し、アウタボックス６に対して第１トレイ部９が第３ヒンジ５３を中心に回動し、リッド７に対して第２トレイ部１０が第４ヒンジ５４を中心に回動することになる。
【００７５】
その結果、リッド７の天壁７４と重なっていた第２トレイ部１０が天板７４から離反し、アウタボックス６の後壁６２と重なっていた第１トレイ部９の後壁９２がアウタボックス６の後壁６２から離反する。その際、第１トレイ部９の後壁９２には、アウタボックス６の後壁６２の幅寸法と等しいか僅かに大きな開口幅を有する開口部９５が形成されているため、アウタボックス６の後壁６２と干渉することなく、第３ヒンジ５３を中心としてアウタボックス６に対して第１トレイ部９を相対回動させることができる。そうすることで、図８〜図１０に示すように、リッド７が開放されつつ、アウタトレイ８からアウタボックス６が起き上がるように動作する。
【００７６】
一方、図８〜図１０に示す状態から、扱い者によってリッド７が閉じ方向へと操作されると、リッド７の回動動作に連動して、第２ヒンジ５２を中心として第１トレイ部９と第２トレイ部１０とが回動すると共に、第３ヒンジ５３を中心として第１トレイ部９が、第４ヒンジ５４を中心として第２トレイ部１０が、それぞれアウタボックス６とリッド７とに対して回動する。その結果、アウタトレイ８に対するアウタボックス６の傾斜角度が減少する。つまり、アウタトレイ８に対して起き上がっていたアウタボックス６が、再びアウタトレイ８に沿うような姿勢に倒れ込み、図６および図７に示す状態となる。
【００７７】
以上のように、本実施形態におけるパッケージ１００によれば、アウタトレイ８を備えるため、リッド７の開放動作に連動して、アウタトレイ８からアウタボックス６を自動的に起立させることが可能となる。これにより、扱い者は、パッケージ１００の内部に収容しているシガレットを、容易に取り出すことができる。また、上述するようなリッド７の開放動作に連動したアウタボックス６の起き上がり動作は、従来には無い新規な動作である。パッケージ１００は、このような新規開閉方式を採用することにより、消費者の購買意欲を刺激することができ、パッケージ１００を含む製品の商品価値を高めることが可能である。
【００７８】
更に、パッケージ１００においては、第１実施形態に係るパッケージ１と同様に、良好な蓋閉まりを実現するためのロック機構を備えている。このロック機構は、リッド７に設けられた突出爪７７と、アウタトレイ８の第１トレイ部９に設けられると共に突出爪７７と係合する斜面係止縁９７によって構成される。図８、図９等にも示されるように、突出爪７７は、リッド７における双方の前側縁部７６、すなわち一組の前側縁部７６の各々に形成されている。また、斜面係止縁９７は、第１トレイ部９における双方の前側縁部９６、すなわち一組の前側縁部９６の各々に形成されている。つまり、パッケージ１００は、パッケージ１００の左前側と、右前側に計２組のロック機構を備えている。
【００７９】
パッケージ１００は、斜面係止縁９７が上端に形成される第１トレイ部９の前側縁部９６がスクエアエッジ、突出爪７７が下端に形成されるリッド７の前側縁部７６が面取りエッジとなっている。よって、リッド７が閉じられた状態では、リッド７側の前側縁部７６が、第１トレイ部９の前側縁部９６に比べて、パッケージ１００の横断面方向において内部側に配置された状態となる。つまり、パッケージ１００は、リッド７が閉じられた状態において、リッド７の前側縁部７６が第１トレイ部９の前側縁部９６よりも、パッケージ１００の横断面方向内側に配置されるように、前側縁部９６と前側縁部７６との相対関係が規定されている。
【００８０】
パッケージ１００によれば、リッド７が閉じられる際に、リッド７側に設けられた突出爪７７が、アウタトレイ８側に設けられた斜面係止縁９７に受け入れられ、係止される。より詳しくは、開放された状態のリッド３が閉じられる過程において、リッド７の突出爪７７が、アウタトレイ８の斜面係止縁９７の外面側に衝突する。この状態から、更に、リッド７が閉じ方向に回動されると、リッド７の突出爪７７が、斜面係止縁９７の外面側から内面側に斜面係止縁９７を乗り越える。その結果、リッド７の突出爪７７が斜面係止縁９７に係止され、リッド７が閉鎖された状態にロックされる。これにより、不用意にリッド７が開放されることが抑制される。よって、パッケージ１００の蓋閉まり性を向上させることができる。
【００８１】
なお、上述までの各実施形態では、パッケージ１に収容する被収容物の好適な適用例として、フィルタシガレットや両切シガレット等のたばこ商品をパッケージに収容する場合を説明したが、これには限定されず、例えば菓子やガム等の物品を収容しても良い。
【符号の説明】
【００８２】
１・・・パッケージ
２・・・アウタボックス
３・・・リッド
４・・・インナフレーム
５・・・ヒンジ
２６・・・前側縁部
２７・・・斜面係止縁
３６・・・前側縁部
３７・・・突出爪
【図１】
0005955983.tif 000002
【図２】
0005955983.tif 000003
【図３】
0005955983.tif 000004
【図４】
0005955983.tif 000005
【図５Ａ】
0005955983.tif 000006
【図５Ｂ】
0005955983.tif 000007
【図５Ｃ】
0005955983.tif 000008
【図６】
0005955983.tif 000009
【図７】
0005955983.tif 000010
【図８】
0005955983.tif 000011
【図９】
0005955983.tif 000012
【図１０】
0005955983.tif 000013
【図１１】
0005955983.tif 000014
【図１２】
0005955983.tif 000015